(57)【要約】【課題】内部に飛しょう体を格納すると共に、同飛しょう体の発射筒となる飛しょう体用キャニスタの後蓋において、飛しょう体の格納、運搬に耐え得る強度と発射時に容易に打ち破られる性能を維持した上、同発射時に破砕されて飛散するパネル片が、周辺に物的、人的被害を与えないようにしたものを提供することを課題とする。【解決手段】パネルの周辺を支持してキャニスタの後縁に設置されたフレームに対し、同パネルの外側に当たる位置で同パネルより強度の大きいピアノ線等の線状材で構成した格子体を配置し、飛しょう体の格納、運搬に際してはその衝撃等に耐え得る強度を維持し、同飛しょう体の発射の際には格子体により破砕片が細片化され、これが飛散しても周辺に物的、人的被害が生じないようにした。【選択図】　　　　　　図１
2004077038.tif 000002
【特許請求の範囲】
【請求項１】
飛しょう体を格納し同飛しょう体の発射筒を兼ねる飛しょう体用キャニスタの後蓋において、前記キャニスタの後縁に設置されたフレームと、同フレームにより周辺を支持されたパネルと、同パネルより大きい強度の線状材で構成され、同パネルの外側に配置された格子体とよりなることを特徴とする飛しょう体用キャニスタの後蓋。
【発明の詳細な説明】
【０００１】
【発明の属する技術分野】
本発明はその内部に飛しょう体を格納すると共に、同飛しょう体の発射筒となる飛しょう体用キャニスタの後蓋に関するものである。
【０００２】
【従来の技術】
飛しょう体を内部に格納してその移動、運搬に供すると共に、同飛しょう体を発射する際には発射筒として機能する飛しょう体用キャニスタは、飛しょう体の軸方向に延びる胴部と、その前部を覆う前蓋（前側セルカバー）と後部を覆う後蓋（後側セルカバー）とで構成されている。
【０００３】
そしてこのキャニスタを構成する胴部、前蓋及び後蓋は、少なくとも外圧及び飛しょう体の格納、運搬時の衝撃等に十分に耐え得る強度が必要であり、加えて胴部にあっては飛しょう体の発射時における内圧に耐え得る強度を有することが好ましく、また前蓋及び後蓋にあっては前記飛しょう体の発射時に内圧で容易に打ち破られる性能が要求される。
【０００４】
このようなキャニスタの胴部、前蓋、後蓋のうち特に後蓋に着目し、従来における飛しょう体用キャニスタの後蓋の概要について、図２に基づいて説明する。図２は従来の飛しょう体用キャニスタの後蓋を示し、（ａ）は同後蓋を平面的に見た斜視図、（ｂ）は（ａ）のＢ−Ｂ断面図である。
【０００５】
すなわち、飛しょう体用のキャニスタの胴部が軸断面四角形の場合には、これに合わせて後蓋１０は全体が四辺形状に形成されることになり、その一例は図２に示すように後蓋１０の外郭を区画するフレーム１と、同フレーム１で周辺を支持されたパネル２で構成されている。
【０００６】
この後蓋１０は、図示省略の胴部に対して、同胴部の軸線に直行する面にパネル２の表面が来るように配置され、キャニスタの後端を画成することになるので、キャニスタ内部に格納された飛しょう体が発射するときには、同飛しょう体の噴射ガスの圧力をパネル２の表面に正面から受けることになる。
【０００７】
この状況については、図２（ｂ）において後蓋１０の断面形状に実線矢印を補足し、キャニスタ内部の圧力を発射筒内圧として示すように、内圧がパネル２の内表面に直行する方向から作用し、また、これに対向して大気圧がキャニスタ外部の圧力として作用することになる。
【０００８】
【発明が解決しようとする課題】
前記のように従来の飛しょう体用キャニスタの後蓋は、同キャニスタの胴部軸線に直行してパネル２が配置されているので、飛しょう体の発射の際に同飛しょう体の噴射ガスの圧力が正面から作用してパネル２はこの圧力で破砕され、破砕したパネル２が大きい破砕片のままで飛散し、周辺に物的、人的被害を与える危険があるという問題点を有するものであった。
【０００９】
本発明は、このような従来の飛しょう体用キャニスタの後蓋における問題点を解消し、同キャニスタの後蓋に要求される事項として飛しょう体の格納、運搬に耐え得る強度と発射時に容易に打ち破られる性能を維持した上、同発射時に破砕されて飛散するパネル片が、周辺に物的、人的被害を与えないようにした飛しょう体用キャニスタの後蓋を提供することを課題とするものである。
【００１０】
【課題を解決するための手段】
本発明は前記した課題を解決すべくなされたもので、その具体的な手段として、飛しょう体を格納し同飛しょう体の発射筒を兼ねる飛しょう体用キャニスタの後蓋において、前記キャニスタの後縁に設置されたフレームと、同フレームにより周辺を支持されたパネルと、同パネルより大きい強度の線状材で構成され、同パネルの外側に配置された格子体とよりなる飛しょう体用キャニスタの後蓋を提供するものである。
【００１１】
すなわち本発明の前記具体的な手段によれば、パネルの周辺を支持してキャニスタの後縁に設置されたフレームに対し、同パネルの外側に当たる位置で同パネルより強度の大きい、例えばピアノ線等の線状材で構成した格子体を配置しているので、飛しょう体の発射の際に噴射ガスで破砕されるパネルは、格子体により破砕片が細片化され、これが飛散しても周辺に物的、人的被害が生じないようにしたものである。
【００１２】
【発明の実施の形態】
本発明の実施の一形態について図１に基づいて説明する。
図１は本実施の形態に係る飛しょう体用キャニスタの後蓋を示し、（ａ）は同後蓋を平面的に見た斜視図、（ｂ）は（ａ）のＡ−Ａ断面図である。
【００１３】
なお、説明が冗長にならないように、前記した従来のものにおける部位と同一又は同等の部位については、図中に同一の符号を付して示し、前記した従来のものの説明を援用することにより、重複する説明は極力省略して本実施の形態に特有の点について重点的に説明する。
【００１４】
すなわち、本実施の形態において、３はピアノ線で、複数のピアノ線３が互いに交差する縦横方向に延びて格子体４を形成し、パネル１の外側に配置され、適宜の手段によりフレーム１に固定されている。
【００１５】
ここでピアノ線３はパネル２に比べて十分に強度の大きい素材であり、また、格子体４の格子面がパネル１の外側の表面に当接して配置されていることが好ましいが、同格子体４とパネル１の外表面との間には微小な隙間があってもよく、反対に格子体４を形成するピアノ線３がパネル１の外表面に多少埋め込まれるような配置となってもよい。
【００１６】
このように複数のピアノ線３で形成した格子体４をパネル１の外表面に配置し、かつ、これをフレーム１に固定支持して、飛しょう体の長手方向に延びる図示省略の胴部の後端に配置することにより、飛しょう体用キャニスタの後蓋が構成されることになる。
【００１７】
前記のように構成された本実施の形態において、飛しょう体を移送、運搬するとき、すなわちキャニスタを飛しょう体の格納装置に供するときには、前記キャニスタの後蓋は、ここでは説明を省略しているキャニスタの胴部、前蓋と共に外圧に耐え、かつ、飛しょう体の格納、運搬時の衝撃等にも耐え得る強度を持ったものとなっている。
【００１８】
他方、飛しょう体を発射するときには、前記キャニスタは飛しょう体の発射筒として機能することになるが、図示省略の飛しょう体が噴射する噴射ガスの圧力がパネル２の内表面に正面から作用するので、同パネル２この圧力、すなわち発射筒内圧により破砕されることになる。
【００１９】
しかしながら、このパネル２の破砕に際し、本実施の形態では、前記したようにパネル２の外表面に、同パネル２より強度の大きいピアノ線３で形成した格子体４を配置しているので、パネル２はこの格子体４のピアノ線３に沿って切断されるように破断され、また、先行して破砕した破砕片はこの格子メッシュで細片化されることになる。
【００２０】
このように本実施の形態によれば、パネル２の破片は格子体４のメッシュで規制される大きさの破片に細分化することができるので、パネル２の破砕に際して破砕片が周囲に飛散することがあっても、この破砕片は周囲の物、人に危害を加える大きさより小さくなるように格子メッシュを調整することにより、周辺に与える危険、危害を回避、低減することができる。
【００２１】
なお、前記したように格子体４はパネル１の外側の表面に当接して配置されていることが好ましいが、前記したように同格子体４とパネル１の外表面との間に微小な隙間があってもパネル１の破砕片の細分化はほぼ同等に可能であり、また、前記格子体４とパネル１の外表面との当接度合いが高くなり、特に、格子体４を形成するピアノ線３がパネル１の外表面に多少埋め込まれるよう位置関係になればピアノ線３自体が強度部材となって、パネル１をより薄肉化することも出来るようになる。
【００２２】
また、パネル１の外表面に、前記ピアノ線３に沿ってスリット状の切り込みを入れておけば、前記飛しょう体の発射に際して、パネル１は格子体４の格子メッシュに沿ってより容易に破砕されることになり、細片化を容易、確実に行うことができる。
【００２３】
以上、本発明を図示の実施の形態について説明したが、本発明はかかる実施の形態に限定されず、本発明の範囲内でその具体的構造に種々の変更を加えてよいことはいうまでもない。
【００２４】
例えば、ここでは格子体４を構成する線状材としてピアノ線３を例にして説明したが、同線状材はパネル１より強度の大きい素材であれば、このピアノ線３に代えて採用することができ、例えばＦＣ繊維（Ｆｉｂｅｒ　Ｃａｒｂｏｎ：炭素繊維）等を採用することも可能である。
【００２５】
【発明の効果】
以上、本発明によれば、飛しょう体を格納し同飛しょう体の発射筒を兼ねる飛しょう体用キャニスタの後蓋において、前記キャニスタの後縁に設置されたフレームと、同フレームにより周辺を支持されたパネルと、同パネルより大きい強度の線状材で構成され、同パネルの外側に配置された格子体とよりなる飛しょう体用キャニスタの後蓋を構成しているので、パネルの周辺を支持してキャニスタの後縁に設置されたフレームに対し、同パネルより強度の大きいピアノ線等の線状材で格子体を構成し、これを同パネルの外側に当たる位置に配置したことにより、前記キャニスタは飛しょう体の格納、運搬に際してはその衝撃等に耐え得る強度を維持し、同飛しょう体の発射の際には格子体により破砕片が細片化され、これが飛散しても周辺に物的、人的被害が生じないようにした好適な飛しょう体用キャニスタの後蓋を得ることが出来たものである。
【図面の簡単な説明】
【図１】本発明の実施の一形態に係る飛しょう体用キャニスタの後蓋を示し、（ａ）は同後蓋を平面的に見た斜視図、（ｂ）は（ａ）のＡ−Ａ断面図である。
【図２】従来の飛しょう体用キャニスタの後蓋を示し、（ａ）は同後蓋を平面的に見た斜視図、（ｂ）は（ａ）のＢ−Ｂ断面図である。
【符号の説明】
１　　　フレーム
２　　　パネル
３　　　ピアノ線
４　　　格子体
１０　　　後蓋
【図１】
2004077038.tif 000003
【図２】
2004077038.tif 000004